(57)【特許請求の範囲】
【請求項１】
直管形ランプが装着されるソケットであって、
開口部を有する本体と、
前記本体の前記開口部に回転自在に取り付けられ、前記直管形ランプの回転とともに前記本体に対し回転する回転子と、
前記本体にスライド可能に取り付けられ、前記直管形ランプの装着後における前記回転子の回転を規制する回転ロック部品と、を備え、
前記回転子は、前記開口部から突出する細長形状の突出部を有し、
前記直管形ランプの装着後、前記回転ロック部品が前記回転子に近づく方向にスライドされることにより、前記回転子の前記突出部の長手方向と前記回転ロック部品の端部とが接触または近接することを特徴とするソケット。
【請求項２】
前記本体には、前記回転ロック部品のスライド位置を固定するためのスライド固定部が設けられており、
前記回転ロック部品には、前記スライド固定部と嵌合する嵌合部が設けられていることを特徴とする請求項１に記載のソケット。
【請求項３】
請求項１または２に記載のソケットと、
前記ソケットが取り付けられる器具本体と、
前記直管形ランプに電源を供給する電源装置と、を備えることを特徴とする照明器具。
【請求項４】
前記ソケットに装着される直管形ランプをさらに備えることを特徴とする請求項３に記載の照明器具。
【発明の詳細な説明】
【技術分野】
【０００１】
本発明は、直管形ランプが装着されるソケットおよび該ソケットを備える照明器具に関するものである。
【背景技術】
【０００２】
天井照明等に用いられる直管形ランプとして、ＬＥＤ（Light Emitting Diode）を光源とした直管形ＬＥＤランプが知られている。また、直管形ＬＥＤランプにおいて、発光面の裏側に放熱のためのヒートシンクを備えているものがある。このような直管形ＬＥＤランプは、断面においてヒートシンクが配置される側が重くなるため、ランプに偏心が生じる。そして、これにより、直管形ＬＥＤランプをソケットに装着させた際に、装着する回転位置が正常でない場合などには、振動などの外的要因によってランプが回転してしまい、不点灯や落下の原因となる恐れがある。
【０００３】
そこで、例えば特許文献１では、直管形ＬＥＤランプの落下を防止するための構成を備えることが提案されている。詳しくは、特許文献１に記載の照明器具では、直管形ＬＥＤランプの口金に鉤孔を有する掛止部が設けられ、ソケットに鉤状の被掛止部が設けられる。そして、直管形ＬＥＤランプをソケットに装着する際に、ソケットの掛止部をランプの被掛止部に引っ掛けることで、直管形ＬＥＤランプの落下を防止する構成となっている。
【先行技術文献】
【特許文献】
【０００４】
【特許文献１】特開２０１２−９３７９号公報（図９参照）
【発明の概要】
【発明が解決しようとする課題】
【０００５】
しかしながら、特許文献１の構成では、直管形ＬＥＤランプの口金を、ソケットの被掛止部に対応する形状の掛止部を備えた専用のものとする必要があり、一般的な口金を有する既存の直管形ＬＥＤランプを装着した場合には、落下を防止することができない。
【０００６】
本発明は、上記のような課題を解決するためのものであり、専用の口金を備えていない既存の直管形ＬＥＤランプを装着した場合においても、回転および落下を抑制することが可能なソケットおよび照明器具を提供することを目的とする。
【課題を解決するための手段】
【０００７】
本発明に係るソケットは、直管形ランプが装着されるソケットであって、開口部を有する本体と、本体の開口部に回転自在に取り付けられ、直管形ランプの回転とともに本体に対し回転する回転子と、本体にスライド可能に取り付けられ、直管形ランプの装着後における回転子の回転を規制する回転ロック部品と、を備え、回転子は、開口部から突出する細長形状の突出部を有し、直管形ランプの装着後、回転ロック部品が回転子に近づく方向にスライドされることにより、回転子の突出部の長手方向と回転ロック部品の端部とが接触または近接するよう構成される。
【発明の効果】
【０００８】
本発明のソケットによれば、回転子の回転を規制する回転ロック部品を備えることにより、装着された直管形ランプの回転を規制し、振動などの外的要因によって直管形ランプが自然に回転して落下することが抑制される。また、直管形ランプの口金を、ソケットの形状に対応した専用の口金とする必要がなく、汎用性の高いソケットを実現できる。
【図面の簡単な説明】
【０００９】
【図１】本発明の実施の形態における照明器具の斜視図である。
【図２】本発明の実施の形態における直管形ＬＥＤランプの一例を示す図である。
【図３】本発明の実施の形態における第一ソケットの正面斜視図である。
【図４】本発明の実施の形態における第一ソケットの分解斜視図である。
【図５】本発明の実施の形態における回転ロック部品の（ａ）正面斜視図および（ｂ）背面斜視図である。
【図６】本発明の実施の形態における回転ロック部品をスライドさせた状態の第一ソケットを示す正面斜視図である。
【図７】本発明の変形例における第一ソケットの正面斜視図である。
【図８】本発明の変形例における回転ロック部品の正面斜視図である。
【発明を実施するための形態】
【００１０】
以下に、本発明のソケットおよび照明器具の実施の形態を図面に基づいて詳細に説明する。図１は、本発明の実施の形態における照明器具１０の斜視図である。図１に示すように、照明器具１０は、器具本体１１および反射板１２を備える。また、器具本体１１の長手方向の一端には第一ソケット３０が設けられ、他端には第二ソケット４０が設けられている。第一ソケット３０および第二ソケット４０に、直管形ランプ２０が着脱可能に装着される。なお、本実施の形態の照明器具１０は２灯式であり、２本の直管形ランプ２０が第一ソケット３０および第二ソケット４０に装着される。反射板１２は、直管形ランプ２０から発せられる光を配光する機能を有する。照明器具１０は、さらに、器具本体１１に取り付けられ、直管形ランプ２０を点灯させるための電源を供給する電源装置（図示せず）を備える。
【００１１】
図２は、本実施の形態における直管形ランプ２０の一例を示す図である。本実施の形態の直管形ランプ２０は、ＬＥＤを光源とする直管形ＬＥＤランプである。図２に示すように、直管形ランプ２０は、外郭２３、ならびに外郭２３の両端にそれぞれ設けられた第一口金２１および第二口金２２を備える。外郭２３の内部には、光源となるＬＥＤモジュール（図示せず）とヒートシンク（図示せず）が設けられる。ヒートシンクは、例えば長尺直線状のアルミニウムで構成される。ヒートシンクを備えることで、ＬＥＤモジュールから生じた熱が放熱される。第一口金２１は、第一ソケット３０に嵌め込まれる凸部２１ａを有し、凸部２１ａ上には一対（２本）のランプピン２４が設けられている。ランプピン２４は、例えば給電ピンである。また、図２では図示されていないが、第二口金２２にもランプピン（例えば接地ピン）が設けられている。本実施の形態では、第一ソケット３０に直管形ランプ２０の第一口金２１が装着され、第二ソケット４０に第二口金２２が装着される。
【００１２】
次に、本実施の形態における第一ソケット３０の構成について詳細に説明する。なお、第二ソケット４０は、第二口金２２を保持する任意の構成となっている。図３は、第一ソケット３０の正面斜視図であり、図４は、第一ソケット３０の分解斜視図である。図３および図４に示すように、第一ソケット３０は、本体３１と、本体３１の背面を覆うカバー３２と、本体３１の内部に配置される回転子３３およびピン接続部３４と、本体３１の外側に取り付けられる回転ロック部品３５と、を備える。なお、本実施の形態の照明器具１０は２灯式のため、第一ソケット３０は２本の直管形ランプ２０にそれぞれ対応する回転子３３、ピン接続部３４および回転ロック部品３５を備えている。
【００１３】
本体３１は、内部に中空部が形成された箱体であって、例えばポリカーボネート、ポリブチレンテレフタレート等の熱可塑性樹脂の絶縁材で形成される。図４に示すように、本体３１の、第一口金２１が取り付けられる前面部３１ａには、略円形の開口部３１１が形成される。また、開口部３１１の上部には開口部３１１と連通する切欠部３１２が形成されている。直管形ランプ２０を第一ソケット３０に装着する際には、切欠部３１２から、第一口金２１のランプピン２４が挿入される。また、前面部３１ａには、後述する回転ロック部品３５の嵌合部３５２と嵌合するスライド固定部３１３が形成される。スライド固定部３１３は、上下方向に延びる細長い凹部であり、スライド固定部３１３の長手方向の両端部分に回転ロック部品３５の嵌合部３５２が嵌まり込むような形状となっている。また、スライド固定部３１３の下方には、回転ロック部品３５の切欠部３５１に対応する円弧部３１４が形成される。
【００１４】
カバー３２は、例えばポリカーボネート、ポリブチレンテレフタレート等の熱可塑性樹脂の絶縁材で形成され、本体３１に取り付けられる。カバー３２の内面側には、回転子３３を回転自在に保持するための回転保持部３２１が形成される。また、図４では図示されていないが、カバー３２の外面側には、スライド固定部３１３と同様の凹部が形成される。
【００１５】
回転子３３は、外形略円柱状を有し、例えばポリカーボネート、ポリブチレンテレフタレート等の熱可塑性樹脂の絶縁材で形成される。回転子３３は、本体３１の開口部３１１に配置され、カバー３２の回転保持部３２１により回転自在に保持される。回転子３３は、第一口金２１に接触する略円板状の接触部３３ａを有している。また、回転子３３には接触部３３ａを二分するように切り欠かれたピン挿入部３３１が形成されている。直管形ランプ２０を第一ソケット３０に装着する際には、ピン挿入部３３１に第一口金２１のランプピン２４が挿入される。さらに、接触部３３ａには、細長いリブ状の突出部３３２が形成されている。突出部３３２は、ピン挿入部３３１を挟んで２箇所形成される。突出部３３２は、回転子３３が本体３１の開口部３１１に配置された状態において、開口部３１１から外側に突出する。
【００１６】
ピン接続部３４は、例えば、りん青銅などの導通性のある材質で形成され、２本のランプピン２４に対応して回転子３３を挟むように配置される。ピン接続部３４は、直管形ランプ２０の回転により各ランプピン２４に接触するようになっている。また、ピン接続部３４は、図示しない電源装置と電気的に接続されている。
【００１７】
図５（ａ）は、本実施の形態における回転ロック部品３５の正面斜視図であり、図５（ｂ）は、背面斜視図である。回転ロック部品３５は、略Ｕ字形状を有し、例えばポリカーボネート、ポリブチレンテレフタレート等の熱可塑性樹脂の絶縁材で形成される。回転ロック部品３５は、本体３１の前面部３１ａと当接する前面部３５ａと、前面部３５ａに対向し、カバー３２に当接する後面部３５ｂと、前面部３５ａの端部と後面部３５ｂの端部とを接続する側面部３５ｃとを有する。前面部３５ａの下部には、本体３１の前面部３１ａに形成された円弧部３１４に対応する円弧形状の切欠部３５１が形成される。切欠部３５１を本体３１の円弧部３１４に嵌め込むことで、回転ロック部品３５が本体３１に適切に取り付けられる。
【００１８】
また、図５（ａ）および（ｂ）に示すように、前面部３５ａおよび後面部３５ｂには内側に突出する凸形状の嵌合部３５２がそれぞれ形成される。嵌合部３５２は、本体３１に設けられたスライド固定部３１３およびカバー３２に設けられた凹部（不図示）にそれぞれ嵌め込まれる。回転ロック部品３５の嵌合部３５２が、本体３１のスライド固定部３１３およびカバー３２の凹部に嵌め込まれた状態で、回転ロック部品３５が、開口部３１１に配置された回転子３３に近づく方向および遠ざかる方向にスライドされる。また、本体３１のスライド固定部３１３の両端部は、回転ロック部品３５の嵌合部３５２が嵌まりこむ形状となっており、回転ロック部品３５の嵌合部３５２がスライド固定部３１３の端部に嵌まりこむことで、回転ロック部品３５のスライド位置が固定される。
【００１９】
次に、直管形ランプ２０の第一ソケット３０への装着について説明する。直管形ランプ２０が装着される前は、第一ソケット３０は図３に示される状態となっている。具体的には、回転ロック部品３５は、切欠部３５１が本体３１の円弧部３１４と嵌合する初期位置に配置される。また、回転子３３は、突出部３３２の長手方向が直管形ランプ２０のランプピン２４が挿入される方向と略平行になるように配置される。そして、まず、直管形ランプ２０の第一口金２１のランプピン２４が、第一ソケット３０の本体３１の切欠部３１２およびピン挿入部３３１に挿入される。この状態で、直管形ランプ２０が回転されると、直管形ランプ２０の回転とともに、回転子３３が本体３１に対して回転する。そして、直管形ランプ２０および回転子３３が挿入された状態から９０°回転されると、ランプピン２４はピン接続部３４と接触する。これにより、ランプピン２４がピン接続部３４に電気的に接続した状態で、直管形ランプ２０が第一ソケット３０に保持される。
【００２０】
そして、回転ロック部品３５を回転子３３に近づく方向にスライドさせる。図６は回転ロック部品３５をスライドさせた状態の第一ソケット３０を示す正面斜視図である。なお、図６は直管形ランプ２０が装着された後の状態を示すものであるが、第一ソケット３０の構成を説明するため、直管形ランプ２０の図示は省略している。図６に示すように、直管形ランプ２０が第一ソケット３０に装着した後、すなわち回転子３３を９０°回転した後、回転子３３の突出部３３２の長手方向は、回転ロック部品３５の上端と平行になる。そして、回転ロック部品３５を回転子３３に近づく方向にスライドさせることで、回転ロック部品３５の前面部３５ａの上端と、回転子３３の突出部３３２とが接触または近接する。これにより、回転子３３の回転が回転ロック部品３５によって規制される。なお、このとき回転ロック部品３５の一部は、直管形ランプ２０の第一口金２１と回転子３３との間に位置する。
【００２１】
また、直管形ランプ２０を取り外す際には、回転ロック部品３５を回転子３３から離れる方向にスライドさせることで、回転子３３の規制が解除される。これにより回転子３３および直管形ランプ２０を回転させ、取り外すことができる。
【００２２】
上記のように、本実施の形態では、直管形ランプ２０が第一ソケット３０に装着された状態で、回転ロック部品３５を回転子３３側にスライドさせ、回転子３３の突出部３３２に接触または近接させることで、回転子３３の回転を規制することができる。これにより、直管形ランプ２０がヒートシンクを備え、偏心している場合でも、振動などによる直管形ランプ２０の回転を規制し、落下を抑制することができる。また、第一ソケット３０の回転子３３の回転を規制する構成とすることで、直管形ランプ２０に専用の口金を備える必要がなく、汎用性が高くなる。
【００２３】
以上が本発明の実施の形態の説明であるが、本発明は、上記の実施の形態の構成に限定されるものではなく、その技術的思想の範囲内で様々な変形または組み合わせが可能である。例えば、本発明の直管形ランプ２０は、直管形ＬＥＤランプに限定されるものではなく、直管蛍光灯であってもよい。上記実施の形態においては、２灯式の照明器具１０および第一ソケット３０に本発明を適用した場合について説明したが、１灯式または３灯式以上の場合でも、本発明を適用することが可能である。
【００２４】
図７は、本発明の変形例における第一ソケット３０Ａの正面斜視図である。図７に示す第一ソケット３０Ａは、１灯式の照明器具に用いられる。図７に示すように、１灯式の第一ソケット３０Ａも、上記実施の形態における第一ソケット３０と同様の本体３１と、本体３１の背面を覆うカバー３２と、本体３１の内部に配置される回転子３３およびピン接続部３４（図示せず）と、本体３１の外側に取り付けられる回転ロック部品３５と、を備える。そして、第一ソケット３０Ａにおいても、直管形ランプ２０が装着され回転された状態で、回転ロック部品３５を回転子３３に近づく方向にスライドさせることにより、回転子３３の突出部３３２の長手方向と、回転ロック部品３５の上端とが接触または近接し、回転子３３の回転が規制される。
【００２５】
また、上記実施の形態は、直管形ランプ２０が第一口金２１と第二口金２２とを備え、器具本体１１が第一ソケット３０と第二ソケット４０とを備える構成としたが、直管形ランプ２０の両端に第一口金２１を備え、器具本体１１の両端に第一ソケット３０を備える構成としてもよい。
【００２６】
さらに、回転ロック部品３５は、上記実施の形態のようにＵ字形状に限定されるものではなく、後面部３５ｂを備えないＬ字形状であってもよい。また、１灯式用の回転ロック部品として、Ｃ字形状の回転ロック部品を用いてもよい。図８は、変形例における回転ロック部品３５Ａの正面斜視図である。図８に示すように、回転ロック部品３５Ａは、第一ソケット３０Ａを四方向から覆うＣ字形状を有している。回転ロック部品３５Ａの切欠部３５１および嵌合部３５２の形状については、上記実施の形態の回転ロック部品３５と同様である。回転ロック部品３５ＡをＣ字形状とすることにより、回転ロック部品３５Ａが第一ソケット３０Ａから外れにくくすることができる。
【００２７】
また、上記実施の形態では、本体３１およびカバー３２に凹形状のスライド固定部３１３を設け、回転ロック部品３５に凸形状の嵌合部３５２を設ける構成としたが、これに限定されるものではなく、スライド固定部３１３を凸形状とし、嵌合部３５２を対応する凹形状としてもよい。さらに、上記実施の形態では、回転ロック部品３５が上下方向にスライドされる場合について説明したが、左右方向にスライドされて、回転子３３の突出部３３２と接触または近接する構成としてもよい。
【符号の説明】
【００２８】
１０  照明器具、１１  器具本体、１２  反射板、２０  直管形ランプ、２１  第一口金、２１ａ  凸部、２２  第二口金、２３  外郭、２４  ランプピン、３０、３０Ａ  第一ソケット、３１  本体、３１ａ  前面部、３２  カバー、３３  回転子、３３ａ  接触部、３４  ピン接続部、３５、３５Ａ  回転ロック部品、３５ａ  前面部、３５ｂ  後面部、３５ｃ  側面部、４０  第二ソケット、３１１  開口部、３１２  切欠部、３１３  スライド固定部、３１４  円弧部、３２１  回転保持部、３３１  ピン挿入部、３３２  突出部、３５１  切欠部、３５２  嵌合部。
【図１】
0006425575.tif 000002
【図２】
0006425575.tif 000003
【図３】
0006425575.tif 000004
【図４】
0006425575.tif 000005
【図５】
0006425575.tif 000006
【図６】
0006425575.tif 000007
【図７】
0006425575.tif 000008
【図８】
0006425575.tif 000009